(57)【要約】【課題】ビデオカメラで決められた時間のみ自動記録できるモード（時間制限モード）で撮影されている時、被写体となる人物が終了までの時間経過を判断できるようにし、ナレーションや演技を時間に応じたものにする。【解決手段】記録媒体がいっぱいになるまで記録できるモードと、決められた時間のみ自動記録できるモード（時間制限モード）で、記録ランプ（タリー）の色や点滅方法を変える。【選択図】        図１
2005020484.tif 000002
【特許請求の範囲】
【請求項１】
カメラからの画像を記録媒体に記録する記録装置において、前記記録媒体の残量が無くなるか或いは停止の指示があるまで記録を継続する第１の記録モードと、予め決められた時間まで記録する第２の記録モードとを選択可能な記録手段と、
前記記録手段で選択される前記第１又は第２の記録モードに応じて、点燈形態を変更する記録状態を表示するための記録ランプを備えたことを特徴とする記録装置。
【請求項２】
請求項１において、前記記録手段で選択される前記第１又は第２の記録モードに応じて、前記記録ランプの点燈色を変更することを特徴とする記録装置。
【請求項３】
請求項１において、前記記録手段で前記第２の記録モードが選択されているとき、前記記録ランプは記録終了までの残り時間に応じて点滅間隔を変更することを特徴とする記録装置。
【請求項４】
請求項３において、前記記録ランプは記録終了までの残り時間が少なくなるに従って、前記点滅間隔を短くすることを特徴とする記録装置。
【請求項５】
請求項１乃至３のいずれか一項において、前記記録手段と前記記録ランプの点燈状態とを制御する制御手段をさらに備えたことを特徴とする記録装置。
【請求項６】
カメラからの画像を記録媒体に記録する記録装置において、
前記画像を表示する表示手段と、
前記記録媒体の残量が無くなるか或いは停止の指示があるまで記録を継続する第１の記録モードと、予め決められた時間まで記録する第２の記録モードとを選択可能な記録手段と、
前記記録手段で前記第２の記録モードが選択されたときは前記表示手段で記録時間のカウントダウン表示を行い、前記第１の記録モードが選択されたときは前記表示手段でカウントダウン表示を非表示にするよう制御する制御手段を備えたことを特徴とする記録装置。
【請求項７】
請求項６において、前記表示手段の表示面が撮影者側を向いているか又は被写体側を向いているかを検出する検出手段をさらに備え、該検出手段の結果に応じて前記表示手段で表示されるカウントダウン表示の大きさを変更することを特徴とする記録装置。
【請求項８】
請求項６または７において、前記記録手段で選択される前記第１又は第２の記録モードに応じて、点燈形態を変更する記録状態を表示するための記録ランプをさらに備えたことを特徴とする記録装置。
【発明の詳細な説明】
【０００１】
【発明の属する技術分野】
本発明はカメラからの画像を電気信号に変換し、記録媒体に記録する記録装置に関するものである。
【０００２】
【従来の技術】
動画像を記録する装置として、記録媒体に磁気テープや光ディスク、フラッシュメモリ等を使ったデジタルビデオカメラ（以下ＤＶＣと称す）が知られている。また静止画記録用として登場したデジタルスチルカメラ（以下デジカメと称す）も最近では動画を記録できるタイプが多くなってきている。これらの機器の動画の使い方は、過去には記録媒体に記録するだけであったが、短時間の動画ファイル（動画クリップ）を作り、電子メール等で遠くに配信することも一般的になってきている（例えば、特許文献１参照）。
【０００３】
ＤＶＣやデジカメの記録モードとして、記録媒体の容量がいっぱいになるまで記録できるこれまでの使い方のモードと、電子メールで配信するために２０秒や３０秒記録というように時間を制限して自動記録できるモードが選択できる装置も考えられる。
【０００４】
【特許文献１】
特開２００２−１７６６１９
【０００５】
【発明が解決しようとする課題】
しかしながらビデオカメラで撮影している時、被写体となる人が制限の無い記録をしているのか、時間が制限された記録をしているのかは判断しづらく、撮影者でないとわからないという不便さがある。
【０００６】
（目的）
本発明の目的はビデオカメラで撮影している時、制限の無い記録をしているのか、時間が制限された記録をしているのか被写体となる人が一目でわかるようにすることと、記録終了までの時間をわかりやすくすることにある。
【０００７】
【課題を解決するための手段】
請求項１記載の発明は、カメラからの画像を記録媒体に記録する記録装置において、前記記録媒体の残量が無くなるか或いは停止の指示があるまで記録を継続する第１の記録モードと、予め決められた時間まで記録する第２の記録モードとを選択可能な記録手段と、前記記録手段で選択される前記第１又は第２の記録モードに応じて、点燈形態を変更する記録状態を表示するための記録ランプを備えたことを特徴とする。
【０００８】
請求項６記載の発明は、カメラからの画像を記録媒体に記録する記録装置において、前記画像を表示する表示手段と、前記記録媒体の残量が無くなるか或いは停止の指示があるまで記録を継続する第１の記録モードと、予め決められた時間まで記録する第２の記録モードとを選択可能な記録手段と、前記記録手段で前記第２の記録モードが選択されたときは前記表示手段で記録時間のカウントダウン表示を行い、前記第１の記録モードが選択されたときは前記表示手段でカウントダウン表示を非表示にするよう制御する制御手段を備えたことを特徴とする。
【０００９】
【発明の実施の形態】
（実施例１）
図１は本発明を実施した記録装置であり、その一例としてのビデオカメラの記録時のブロック図である。
【００１０】
１はレンズ群、２は光を電気信号に変換するＣＣＤ、３はＣＣＤ２から得られた電気信号から輝度信号や色信号をつくるカメラ信号処理回路、４はカメラ信号処理回路からの信号を記録媒体のフォーマットに変換するレコーダ処理回路、５は磁気テープやディスクや半導体メモリ等の記録媒体、６は画像を表示し、モニターするためのファインダー、７は画像をモニターする為の表示用パネル、８はパネル７が向いている方向を検出する方向検出器、９は画像に重畳する文字等を作り出すＯＳＤ（Ｏｎ  Ｓｃｒｅｅｎ  Ｄｉｓｐｌａｙ）回路、１０、１１はＯＳＤ回路９からの信号を画像に重畳する加算器、１２はＲＥＣ／ＲＥＣ  ＰＡＵＳＥを指示する為のトリガースイッチ、１３は使用者が記録モードを設定する為の記録モードスイッチ、１４は被写体側に現在記録中であることを知らせる記録ランプ、１５は記録装置全体を制御するシステムコントローラ、である。
【００１１】
図２は本発明の記録装置の概念図である。図２のようにパネルの表示面は前（被写体）方向、後（撮影者）方向に回動可能な構成である。また、撮影ランプは被写体方向に向けて設置されている。
【００１２】
本システムの第１の実施例動作を図１、図２の構成と、図３のフローチャートを用いて説明する。
【００１３】
記録モードが、停止ボタンが押されるか或いは記録媒体の容量がいっぱいになるまで記録できる無制限モード（所謂通常の撮影モード）か、動画クリップを作る為の時間制限モードのどちらが選択されているか判断する（ＳＴＥＰ１）。
【００１４】
無制限モードであればＲＥＣ  ＰＡＵＳＥ動作に入り（ＳＴＥＰ２）、トリガースイッチ１２が押されるまで保持する（ＳＴＥＰ３）。
【００１５】
撮影者が記録開始するためにトリガースイッチ１２をＯＮすると（ＳＴＥＰ３）、ＲＥＣ動作に入る（ＳＴＥＰ４）。
【００１６】
ＲＥＣ動作に入ると被写体側に記録中であることを知らせる為、記録ランプ１４を例えば赤い色の光で点滅する（ＳＴＥＰ５）。
【００１７】
次に、撮影者が記録を終了したり、一時停止するためにトリガースイッチ１２をＯＮすると（ＳＴＥＰ６）、再びＲＥＣ  ＰＡＵＳＥ動作に入る（ＳＴＥＰ２）。時間制限モードが選択されていた場合（ＳＴＥＰ１）、ＲＥＣ  ＰＡＵＳＥ動作に入り（ＳＴＥＰ８）、トリガースイッチ１２が押されるまで保持する（ＳＴＥＰ８）。撮影者が記録開始するためにトリガースイッチ１２をＯＮすると（ＳＴＥＰ８）、ＲＥＣ動作に入る（ＳＴＥＰ９）。
【００１８】
ＲＥＣ動作に入ると被写体側に時間制限モードの記録中であることを知らせる為、記録ランプ１４を例えば青い色の光で点滅する（ＳＴＥＰ１０）。
【００１９】
次に、撮影者が記録を終了したり、一時停止するためにトリガースイッチ１２をＯＮすると（ＳＴＥＰ１１）、再びＲＥＣ  ＰＡＵＳＥ動作に入る（ＳＴＥＰ７）。トリガースイッチ１２が押されなくてもＲＥＣ動作に入ってから制限時間の記録ができたら（ＳＴＥＰ１２）、再びＲＥＣ  ＰＡＵＳＥ動作に入る（ＳＴＥＰ７）。被写体側にいる人は記録ランプ１４の色でどちらのモードで記録されているか判断し、モードに応じた撮られ方をすることができる。
【００２０】
（実施例２）
本システムの第２の実施例動作を図１、図２の構成と、図４のフローチャートを用いて説明する。
【００２１】
無制限モードが選択されている場合は実施例１と同じフローであるので省略する。
【００２２】
図４のフローチャートにおいて、時間制限モードが選択されていた場合（ＳＴＥＰ２１）、ＲＥＣ  ＰＡＵＳＥ動作に入り（ＳＴＥＰ２２）、トリガースイッチ１２が押されるまで保持する（ＳＴＥＰ２３）。
【００２３】
撮影者が記録開始するためにトリガースイッチ１２をＯＮすると（ＳＴＥＰ２３）、ＲＥＣ動作に入る（ＳＴＥＰ２４）。
【００２４】
ＲＥＣ動作に入ると予め設定されている時間、例えば２０秒をカウントし、記録終了までの時間（Ｔ）を測定する（ＳＴＥＰ２５）。
【００２５】
また記録終了までの時間（Ｔ）に応じた間隔で記録ランプを点滅する（ＳＴＥＰ２６）。図５は点滅周期をだんだん速くする例である。
【００２６】
撮影者が記録を終了したり、一時停止するためにトリガースイッチ１２をＯＮすると（ＳＴＥＰ２７）、再びＲＥＣ  ＰＡＵＳＥ動作に入る（ＳＴＥＰ２２）。トリガースイッチ１２が押されなくてもＲＥＣ動作に入ってから制限時間の記録ができたら（ＳＴＥＰ２８）、再びＲＥＣ  ＰＡＵＳＥ動作に入る（ＳＴＥＰ２２）。被写体となる人物は点滅周期を見て終了までの時間経過を知り、ナレーションや演技を時間に応じたものにすることができる。
【００２７】
また、このような実施形態２の構成を実施形態１と組み合わせることも容易に可能である。すなわち、記録ランプの色の変更と点滅間隔の変更とを同時に実行することが可能である。
【００２８】
（実施例３）
本システムの第３の実施例動作を図１、図２の構成と、図６のフローチャートを用いて説明する。
【００２９】
無制限モードが選択されている場合は実施例１と同じフローであるので省略する。
【００３０】
図６のフローチャートにおいて、時間制限モードが選択されていた場合（ＳＴＥＰ３１）、ＲＥＣ  ＰＡＵＳＥ動作に入り（ＳＴＥＰ３２）、トリガースイッチ１２が押されるまで保持する（ＳＴＥＰ３３）。
【００３１】
撮影者が記録開始するためにトリガースイッチ１２をＯＮすると（ＳＴＥＰ３３）、ＲＥＣ動作に入る（ＳＴＥＰ３４）。
【００３２】
ＲＥＣ動作に入ると予め設定されている時間、例えば２０秒をカウントし、記録終了までの時間（Ｔ）を測定する（ＳＴＥＰ３５）。
【００３３】
方向検出器８でパネル７が撮影者側を向いているか、被写体側を向いているかを検出し、パネル７が撮影者側を向いている場合（ＳＴＥＰ３６）、ＯＳＤ回路９で記録終了までの時間（Ｔ）の数値（カウントダウン表示）を小型の大きさで作り、加算器１０、加算器１１で画像に合成し、ファインダー６、パネル７に表示する（ＳＴＥＰ３７）。パネルが被写体側を向いている場合（ＳＴＥＰ３６）、ＯＳＤ回路９で記録終了までの時間（Ｔ）の数値（カウントダウン表示）を大型で作り（ＳＴＥＰ３８）、加算器１０、加算器１１で画像に合成し、また合成信号を上下反転してファインダー６、パネル７に表示する（ＳＴＥＰ３９）。
【００３４】
撮影者が記録を終了したり、一時停止するためにトリガースイッチ１２をＯＮすると（ＳＴＥＰ４０）、再びＲＥＣ  ＰＡＵＳＥ動作に入る（ＳＴＥＰ３２）。トリガースイッチ１２が押されなくてもＲＥＣ動作に入ってから制限時間の記録ができたら（ＳＴＥＰ４１）、再びＲＥＣ  ＰＡＵＳＥ動作に入る（ＳＴＥＰ３２）。パネルを被写体側に向けておけば、被写体となる人物はパネル７に大きく表示されたカウントダウン時間を見て終了までの時間経過を知り、ナレーションや演技を記録時間に応じたものにすることができる。
【００３５】
また、このような実施の形態３の構成を実施形態１及び／又は実施形態２と組み合わせることも容易に可能である。すなわち、記録ランプの色及び／又は点滅間隔の変更とカウントダウン表示形態の変更とを同時に実行することが可能である。
【００３６】
以上、これまでの説明では記録媒体が一種類の例を述べたが、その他の実施形態として、複数の記録媒体を持ち、図７のように記録媒体の選択によって無制限モードか、時間制限モードかが選択される場合にも本発明は有効である。
【００３７】
【発明の効果】
以上説明したように、本発明によれば、記録モードに応じて記録中を示す記録ランプの点燈形態を変えることを特徴とすることにより、被写体側にいる人は記録ランプを見ることでどのようなモードで記録されているか判断可能となり、モードに応じた撮られ方をすることができる。また、本発明によれば記録モードに応じてカウントダウン表示を行うことによって、被写体になる人は記録モードと残り時間とに応じた最適な撮られ方をすることができる。
【図面の簡単な説明】
【図１】本発明の記録装置のブロック図である。
【図２】本発明の記録装置の概念図である。
【図３】本発明の実施形態１のフローチャートである。
【図４】本発明の実施形態２のフローチャートである。
【図５】本発明の実施形態２の記録ランプの点滅を表す説明図である。
【図６】本発明の実施形態３のフローチャートである。
【図７】本発明のその他の実施形態でのフローチャートである。
【符号の説明】
１  レンズ群
２  ＣＣＤ
３  カメラ信号処理回路
４  レコーダ処理回路
５  記録媒体
６  ファインダー
７  パネル
８  方向検出器
９  ＯＳＤ回路
１０  加算器
１１  加算器
１２  トリガースイッチ
１３  記録モードスイッチ
１４  記録ランプ
１５  システムコントローラ
【図１】
2005020484.tif 000003
【図２】
2005020484.tif 000004
【図３】
2005020484.tif 000005
【図４】
2005020484.tif 000006
【図５】
2005020484.tif 000007
【図６】
2005020484.tif 000008
【図７】
2005020484.tif 000009